(57)【要約】【課題】経鼻内視鏡の利用に当たって、装着者に与える不快感をできるだけ軽減することができる経鼻内視鏡用挿入補助具を提供すること。【解決手段】経鼻内視鏡用挿入補助具１０の内側には、装着者の鼻背部、鼻尖部、鼻翼部にフィットするよう滑らかな窪み１１が形成されている。そして、鼻柱部に対応する側には、装着者の外鼻孔を露出させるための開口１２が形成されている。経鼻内視鏡２は、装着者の画面に対して正面から挿入される場合が多いため、これを装着者の外鼻孔に挿入すると、経鼻内視鏡２のチューブは経鼻内視鏡用挿入補助具１０の開口１２の鼻尖部１ｂ側の縁部１２ａに接触し、経鼻内視鏡２と外鼻孔の周辺とが接触するのを防ぐことができる。【選択図】図６
2009000325.tif 000002
【特許請求の範囲】
【請求項１】
経鼻内視鏡を外鼻孔から挿入する際に用いられる経鼻内視鏡用補助具において、
装着者の鼻背部、鼻尖部、鼻翼部にフィットするよう内側に窪みが形成され、鼻柱部側に外鼻孔を露出させる開口が形成され、該開口の鼻尖部側の縁部を挿入される経鼻内視鏡に接触させることにより、経鼻内視鏡と外鼻孔の周辺とが接触するのを防ぐようにしたことを特徴とする経鼻内視鏡用挿入補助具。
【請求項２】
全体が弾性材料により形成されていることを特徴とする請求項１に記載の経鼻内視鏡用挿入補助具。
【請求項３】
外面部が弾性材料により形成され、装着者の鼻に接触する内面部は前記弾性材料より柔軟な軟性材料により形成されていることを特徴とする請求項１に記載の経鼻内視鏡用挿入補助具。
【請求項４】
前記内面部が前記外面部に対して着脱可能であることを特徴とする請求項３に記載の経鼻内視鏡用挿入補助具。
【請求項５】
前記外面部と前記内面部との間に、硬性材料により形成された中間部材が設けられていることを特徴とする請求項３または４に記載の経鼻内視鏡用挿入補助具。
【請求項６】
装着者に固定するための固定具を備えることを特徴とする請求項１から５のいずれかに記載の経鼻内視鏡用挿入補助具。
【発明の詳細な説明】
【技術分野】
【０００１】
本発明は、経鼻内視鏡を外鼻孔から挿入する際に用いられる経鼻内視鏡用補助具に関する。
【背景技術】
【０００２】
上部消化器官の検査に当たり、経口内視鏡に代えて経鼻内視鏡が利用される機会が増えている。経鼻内視鏡では、咽頭反射が起きにくく、被検者の負担が軽減されるため、今後も検査に利用される機会は拡大すると考えられる。
【０００３】
経口内視鏡を使用する場合には、被検者にマウスピースをくわえてもらい、このマウスピースを介して内視鏡を挿入している。経鼻内視鏡用の器具としては、例えば特許文献１に開示されるように、外鼻孔に挿入して使用される器具が知られている。
【０００４】
【特許文献１】特開２００６−３２６０６３号公報
【発明の開示】
【発明が解決しようとする課題】
【０００５】
しかしながら、特許文献１に開示される器具は、外鼻孔に挿入して使用されるため、装着時には外鼻孔が押し拡げられ、かつ、経鼻内視鏡の引き出し方向を変えたり、装着者が姿勢を変えたりした場合には、器具が挿入されている外鼻孔に内側から力がかり、装着者に不快感を与えやすい。
【０００６】
本発明は、このような従来技術の問題点に鑑みてなされたものであり、経鼻内視鏡の利用に当たって、装着者に与える不快感をできるだけ軽減することができる経鼻内視鏡用挿入補助具を提供することを目的(課題)とする。
【課題を解決するための手段】
【０００７】
上記の課題を解決するために案出された本発明の経鼻内視鏡用挿入補助具は、装着者の鼻背部、鼻尖部、鼻翼部にフィットするよう内側に窪みが形成され、鼻柱部側に外鼻孔を露出させる開口が形成され、この開口の鼻尖部側の縁部を挿入される経鼻内視鏡に接触させることにより、経鼻内視鏡と外鼻孔の周辺とが接触するのを防ぐようにしたことを特徴とする。
【０００８】
上記の経鼻内視鏡用挿入補助具は、全体を弾性材料により形成してもよいし、外面部を弾性材料により形成し、装着者の鼻に接触する内面部を弾性材料より柔軟な軟性材料により形成してもよい。
【０００９】
内面部と外面部とを別部材とする場合には、内面部を外面部に対して着脱可能にすることもできる。また、外面部と内面部との間に、硬性材料により形成された中間部材を設けてもよい。
【００１０】
さらに、経鼻内視鏡用挿入補助具を装着者に固定するためのベルトやゴムバンド等の固定具を備えることが望ましい。
【発明の効果】
【００１１】
本発明にかかる経鼻内視鏡用挿入補助具を装着すれば、経鼻内視鏡を引っ張るなどしても、経鼻内視鏡は開口の鼻尖部側の縁部に接触し、外鼻孔の周辺には接触せず、装着者に鼻が引っ張られるような不快感を与えない。また、装着されるのが鼻の外側であり、鼻の外面全体で力を受けるため、外鼻孔内に装着する従来例と比較して、装着時の外鼻孔が拡げられるような不快感が少なく、しかも、経鼻内視鏡の引き出し方向を変えたり、装着者が姿勢を変えたりした場合にも、外鼻孔に内側から力がかかることはなく、装着者に与える不快感を軽減することができる。
【発明を実施するための最良の形態】
【００１２】
次に、添付図面に基づいて、本発明を実施するための形態を説明する。図１〜図１０は実施例１及びその変形例、図１１〜図１７は実施例２及びその変形例を示す。以下、順に説明する。
【実施例１】
【００１３】
図１は、実施例１の経鼻内視鏡用挿入補助具１０の側面図、図２、図３、図４は、それぞれ経鼻内視鏡用挿入補助具１０の平面図、正面図、断面図である。これらの図に示されるように、実施例１の経鼻内視鏡用挿入補助具１０の外形は、装着者の鼻全体を外側から覆うように、平面的には装着者の鼻筋に沿って先細りとなる三角形状、正面から見ると中央が高い山形であり、中心を通る稜線が先端に向けて低くなるように形成されている。
【００１４】
また、経鼻内視鏡用挿入補助具１０の内側には、装着者の鼻背部、鼻尖部、鼻翼部にフィットするよう滑らかな窪み１１が形成されている。そして、鼻柱部に対応する側には、装着者の外鼻孔を露出させるための開口１２が形成されている。開口１２は、ほぼ台形状であり、この開口１２の鼻尖部側の縁部１２ａは、図４に示すように外鼻孔側に垂れ下がるように形成されている。
【００１５】
実施例１の経鼻内視鏡用挿入補助具１０は、全体が弾性材料により一体に形成されている。補助具１０は、装着者の鼻に負担のかからない程度の柔軟性を持つ必要があり、弾性材料としては、シリコンゴム、フッ素ゴム、ウレタン等を用いることができる。弾性部材で構成されることにより、装着者の個人差に合わせて変形させることができる。
【００１６】
次に、実施例１の経鼻内視鏡用挿入補助具１０を装着者の鼻に装着した状態を図５及び図６に基づいて説明する。図５は装着状態の断面図、図６は経鼻内視鏡を挿入した状態を示す装着状態の断面図である。
【００１７】
図５に示すように、装着者の鼻１には、鼻背部１ａ、鼻尖部１ｂ、鼻翼部１ｃ、鼻柱部１ｄが存在する。経鼻内視鏡用挿入補助具１０を鼻１に装着すると、窪み１１が鼻背部１ａ、鼻尖部１ｂ、鼻翼部１ｃにフィットし、鼻柱部１ｄ側に形成された開口１２は外鼻孔を露出させる。
【００１８】
図６に示されるように、経鼻内視鏡２は、装着者の画面に対して正面から挿入される場合が多いため、これを装着者の外鼻孔に挿入すると、経鼻内視鏡２のチューブは経鼻内視鏡用挿入補助具１０の開口１２の鼻尖部１ｂ側の縁部１２ａに接触し、経鼻内視鏡２と外鼻孔の周辺とが接触するのを防ぐことができる。
【００１９】
このため、経鼻内視鏡用挿入補助具１０が経鼻内視鏡２を使用する際のクッションとしての役割を果たし、鼻が引っ張られたり、外鼻孔が拡げられたりすることがなく、装着者の不快感を軽減することができる。
【００２０】
次に、実施例１の変形例を図７〜図１０に示す。図７、図８、図９は、それぞれ変形例の経鼻内視鏡用挿入補助具１０Ａの側面図、平面図、正面図であり、図１０は装着状態を示す側面図である。変形例の経鼻内視鏡用挿入補助具１０Ａは、基本的な構成は実施例１と同一であるが、装着者に固定するための固定具を備える点が異なる。
【００２１】
すなわち、経鼻内視鏡用挿入補助具１０Ａには、ベルト通しの貫通孔１３が稜線の下を横切るように形成され、この貫通孔１３に固定具としてベルト１４が通されている。ベルト１４の端部には、一面に面ファスナー１５が貼り付けられており、装着者はベルト１４を頭部に回して面ファスナー１５で留めることにより、経鼻内視鏡用挿入補助具１０Ａを確実に鼻に装着することができる。
【実施例２】
【００２２】
次に、実施例２について説明する。図１１は、実施例２の経鼻内視鏡用挿入補助具２０の側面図、図１２、図１３、図１４は、それぞれ経鼻内視鏡用挿入補助具２０の平面図、正面図、断面図である。これらの図に示されるように、実施例２の経鼻内視鏡用挿入補助具２０の外形は、実施例１の補助具１０と共通であり、装着者の鼻全体を外側から覆うように、平面的には装着者の鼻筋に沿って先細りとなる三角形状、正面から見ると中央が高い山形であり、中心を通る稜線が先端に向けて低くなるように形成されている。
【００２３】
また、経鼻内視鏡用挿入補助具２０の内側には、装着者の鼻背部、鼻尖部、鼻翼部にフィットするよう滑らかな窪み２１が形成されている。そして、鼻柱部に対応する側には、装着者の外鼻孔を露出させるための開口２２が形成されている。開口２２は、ほぼ台形状であり、この開口２２の鼻尖部側の縁部２２ａは、図１４に示すように外鼻孔側に垂れ下がるように形成されている。
【００２４】
実施例２の経鼻内視鏡用挿入補助具２０は、最も外周側を覆う外面部２３、装着者の鼻に接触する内面部２４、そして、これらの間に配置された中間部材２５により３層構造で構成されている。外面部２３は、シリコンゴム等の弾性材料により形成されている。装着者の鼻に接触する内面部２４は、弾性材料より柔軟なゲル状の軟性材料により形成されている。そして、中間部材２５は、プラスチック等の構成材料により形成されている。
【００２５】
内面部２４は、図１４に示すように、図中左側となる先端側から開口２２に接する部位にまで設けられている。中間部材２５は、先端側から鼻尖部に対応する部分にまで設けられている。内面部２４が柔軟な軟性材料により形成されているため、装着者に多少の個人差があっても、それぞれの装着者の鼻に合わせて内面部２４が変形し、フィットさせることができる。
【００２６】
なお、内面部２４と中間部材２５とは接着されて一体化しており、中間部材２５は外面部２３に対して図示せぬ係合部により着脱可能に取り付けられている。このため、装着者の個人差を考慮して異なるサイズの内面部２４を用意しておけば、多くの装着者に対してより確実にフィットさせることができる。また、装着者に応じて内面部２４と中間部材２５とが一体化したユニットを交換すれば、全体を交換するより低いコストで衛生に配慮することができる。
【００２７】
次に、実施例２の経鼻内視鏡用挿入補助具２０を装着者の鼻に装着した状態を図１５及び図１６に基づいて説明する。図１５は装着状態の断面図、図１６は経鼻内視鏡を挿入した状態を示す装着状態の断面図である。
【００２８】
図１５に示すように、経鼻内視鏡用挿入補助具２０を鼻１に装着すると、内面部２４の内側(窪み２１)が鼻背部１ａ、鼻尖部１ｂ、鼻翼部１ｃにフィットし、鼻柱部１ｄ側に形成された開口２２は外鼻孔を露出させる。
【００２９】
図１６に示されるように、経鼻内視鏡２を装着者の外鼻孔に挿入すると、経鼻内視鏡２のチューブは経鼻内視鏡用挿入補助具２０の開口２２の鼻尖部１ｂ側の縁部２２ａに接触し、経鼻内視鏡２と外鼻孔の周辺とが接触するのを防ぐことができる。
【００３０】
このため、経鼻内視鏡用挿入補助具２０が経鼻内視鏡２を使用する際のクッションとしての役割を果たし、鼻が引っ張られたり、外鼻孔が拡げられたりすることがなく、装着者の不快感を軽減することができる。
【００３１】
図１７は、実施例２の変形例の経鼻内視鏡用挿入補助具２０Ａの側面図である。変形例の経鼻内視鏡用挿入補助具２０Ａは、基本的な構成は実施例２と同一であるが、装着者に固定するための固定具を備える点が異なる。
【００３２】
すなわち、経鼻内視鏡用挿入補助具２０Ａには、ベルト通しの貫通孔２６が稜線の下を横切るように形成され、この貫通孔２６に固定具としてベルト２７が通されている。ベルト２７の端部には、一面に面ファスナー２８が貼り付けられており、装着者はベルト２７を頭部に回して面ファスナー２８で留めることにより、経鼻内視鏡用挿入補助具２０Ａを確実に鼻に装着することができる。
【００３３】
なお、いずれの実施例でも、経鼻内視鏡用挿入補助具を頭部に回すベルトを面ファスナーで留めるようにしているが、ベルトを短くして両端にリング状の耳かけを形成し、耳にかけて留めるようにしてもよい。
【図面の簡単な説明】
【００３４】
【図１】本発明の実施例１にかかる経鼻内視鏡用挿入補助具の側面図である。
【図２】図１の経鼻内視鏡用挿入補助具の平面図である。
【図３】図１の経鼻内視鏡用挿入補助具の正面図である。
【図４】図１の経鼻内視鏡用挿入補助具の断面図である。
【図５】図１の経鼻内視鏡用挿入補助具を装着者の鼻に装着した状態を示す断面図である。
【図６】図１の経鼻内視鏡用挿入補助具を装着者の鼻に装着し、経鼻内視鏡を挿入した状態を示す断面図である。
【図７】本発明の実施例１の変形例にかかる経鼻内視鏡用挿入補助具の側面図である。
【図８】図７の経鼻内視鏡用挿入補助具の平面図である。
【図９】図７の経鼻内視鏡用挿入補助具の正面図である。
【図１０】図７の経鼻内視鏡用挿入補助具の断面図である。
【図１１】本発明の実施例２にかかる経鼻内視鏡用挿入補助具の側面図である。
【図１２】図１１の経鼻内視鏡用挿入補助具の平面図である。
【図１３】図１１の経鼻内視鏡用挿入補助具の正面図である。
【図１４】図１１の経鼻内視鏡用挿入補助具の断面図である。
【図１５】図１１の経鼻内視鏡用挿入補助具を装着者の鼻に装着した状態を示す断面図である。
【図１６】図１１の経鼻内視鏡用挿入補助具を装着者の鼻に装着し、経鼻内視鏡を挿入した状態を示す断面図である。
【図１７】本発明の実施例２の変形例にかかる経鼻内視鏡用挿入補助具の側面図である。
【符号の説明】
【００３５】
１  鼻
２  経鼻内視鏡
１０，２０  経鼻内視鏡用挿入補助具
１１  窪み
１２  開口
１３，２６  貫通孔
１４，２７  ベルト
１５，２８  面ファスナー
２３  外面部
２４  内面部
２５  中間部材
【図１】
2009000325.tif 000003
【図２】
2009000325.tif 000004
【図３】
2009000325.tif 000005
【図４】
2009000325.tif 000006
【図５】
2009000325.tif 000007
【図６】
2009000325.tif 000008
【図７】
2009000325.tif 000009
【図８】
2009000325.tif 000010
【図９】
2009000325.tif 000011
【図１０】
2009000325.tif 000012
【図１１】
2009000325.tif 000013
【図１２】
2009000325.tif 000014
【図１３】
2009000325.tif 000015
【図１４】
2009000325.tif 000016
【図１５】
2009000325.tif 000017
【図１６】
2009000325.tif 000018
【図１７】
2009000325.tif 000019